(57)【要約】      （修正有）【課題】構造がシンプルで信頼性，耐久性に優れ、安価な水田の貯水能を利用した水害防止装置を提供する。【解決手段】水田の排水口に設置する水害防止装置１０であって、止水体１１と、止水体に回動自在に取り付けた略Ｌ字型の導水管１２を備え、導水管の一端部は止水体の底部付近に設けた排水口１２Ｃに回動自在に連結してあり、導水管の他端部は豪雨前に横方向に向いた状態で雨水の受水器１３にワイヤー１５で連結してあり、所定量の雨水が溜まると受水器がその自重により降下し、導水管の他端部が上方に回動する。【選択図】図１
0003194771.tif 000002
【実用新案登録請求の範囲】
【請求項１】
水田の排水口に設置する水害防止装置であって、
止水体と、当該止水体に回動自在に取り付けた略Ｌ字型の導水管を備え、
前記導水管の一端部は止水体の底部付近に設けた排水口に回動自在に連結してあり、
前記導水管の他端部は豪雨前に横方向に向いた状態で雨水の受水器にワイヤー連結してあり、
受水器に所定量の雨水が溜まるとその自重により降下し、前記導水管の他端部が上方に回動することを特徴とする水田を利用した水害防止装置。
【請求項２】
前記ワイヤー連結したワイヤーのガイド部を前記止水体の上端部に設けてあり、前記ガイド部は左右及び上下に回動するのを許容したパイプ材であることを特徴とする請求項１記載の水田を利用した水害防止装置。
【考案の詳細な説明】
【技術分野】
【０００１】
本考案は、水田に有する貯水能を活用した豪雨時における水害防止装置に関する。
【背景技術】
【０００２】
近年の雨の降り方は局地的な集中豪雨になる場合が多く、川の比較的上流に設けたダムだけでは水害を防止するのが困難な場合が増している。
また、比較的に勾配が急な平野部では、豪雨が短時間に河川に流れ込むと急激な増水になり、水害が発生しやすい。
【０００３】
そこで本考案者は、これまでにも水田の貯水能を活用した水害防止装置を提案している。
例えば、特許文献１においては豪雨時の雨量を感知し、雨水受けに溜まった雨水の自重にて止水弁が落下し、流水口を塞ぐ装置を提案している。
本考案は、先の装置を改良したものである。
【先行技術文献】
【特許文献】
【０００４】
【特許文献１】実用新案登録第３１８０３５８号公報
【考案の開示】
【考案が解決しようとする課題】
【０００５】
本考案は、構造がシンプルで信頼性，耐久性に優れ、安価な水田を利用した水害防止装置の提供を目的とする。
【課題を解決するための手段】
【０００６】
本考案に係る水田を利用した水害防止装置は、水田の排水口に設置する水害防止装置であって、止水体と、当該止水体に回動自在に取り付けた略Ｌ字型の導水管を備え、前記導水管の一端部は止水体の底部付近に設けた排水口に回動自在に連結してあり、前記導水管の他端部は豪雨前に横方向に向いた状態で雨水の受水器にワイヤー連結してあり、受水器に所定量の雨水が溜まるとその自重により降下し、前記導水管の他端部が上方に回動することを特徴とする。
ここで、ワイヤー連結したワイヤーのガイド部を前記止水体の上端部に設けてあり、前記ガイド部は左右及び上下に回動するのを許容したパイプ材であるのが好ましい。
【０００７】
水田には、排水溝につながる排水口が設けられており、稲作の生育に合せて灌水管理されている。
本考案に係る装置にあっては、この排水口に一般的に設置されているコ字型ブロックの水田側の側面開口部を止水体で塞ぐように取り付けるだけでよい。
集中豪雨が発生した場合に雨水が受水器に溜まる。
所定の量が受水器に溜まるとその自重にて降下し、連結ワイヤーに繋がれたＬ字型の導水管の入水口が上方に向けて回動し、直立状態になる。
これにより水田に雨水が溜まることになり、下流側に多量の雨水が流れ込むのを防止する。
一般的に集中豪雨は、１〜２日の短期間であり、この程度の短期であれば稲の生育に影響は殆どない。
【考案の効果】
【０００８】
本考案にあっては、パネル状の止水体の底部付近に設けた貫通孔からなる排水口に、略Ｌ字型の導水管の一端部を回動自在に連結したシンプルな構造であり、受水器に溜まった雨水の重量にて略Ｌ字型の導水管の他の端部が直立方向に回動し、雨水が水田の外に流れ出すのを止めることができる。
また、豪雨が止むと導水管を横方向に回動させ、倒すだけで排水することができる。
よって、シンプルな構造でありながら信頼性に優れる。
また、耐久性があり、製作が容易で安価である。
【図面の簡単な説明】
【０００９】
【図１】本考案に係る水害防止装置の構造例を示し、（ａ）は水田側から見た斜視図，（ｂ）は排水側から見た斜視図である。この状態は受水器が上部に位置し、豪雨発生前の通常時である。
【図２】豪雨時の状態を示し、（ａ）は水田側、（ｂ）は排水側から見た図である。
【図３】ガイド部の部分拡大図を示し、（ａ），（ｂ）は受水器が上部に位置する状態、（ｃ），（ｄ）は受水器が下降した状態を示す。
【図４】（ａ）の状態から豪雨になると、（ｂ）の状態になる。
【図５】（ａ）は水田の排水ブロック付近の平面図、（ｂ）は通常時の断面図、（ｃ）は豪雨時の断面図を示す。
【考案を実施するための最良の形態】
【００１０】
本考案に係る水害防止装置１０は、図４（ａ）に示すように水田の排水側の排水ブロック２０の水田側の側面開口部を止水体１１で塞ぐように設置して使用する。
排水ブロック２０の構造に制限はなく、一般的には排水溝２１に連結されている。
【００１１】
水害防止装置１０は、図１，２に示すようにパネル状の止水体１１の底部側に貫通した排水口１２ｃを形成し、この排水口１２ｃに導入管１２の一端部を回動自在、且つ雨水が漏れないように連結部１２ａにて止水連結してある。
導水管１２は略Ｌ字型であり、入水口１２ｂが図１の横方向に倒れた状態と、図２に示した直立方向に回動する状態に相互に切り替わることができる。
止水体１１の導水管１２を配置した反対側、本実施例では水田の外側に受水器１３を配置し、止水体１１の上端部に設けたパイプ材からなるガイド部１４を介して、連結ワイヤー１５を用いて、この受水器１３とＬ字型導水管１２の入水口１２ｂ側の側面部１２ｄを連結してある。
ガイド部１４は、図３（ａ）〜（ｄ）に示すように上下，左右に動くのを許容したＬ字型のパイプ材となっている。
これにより、連結ワイヤー１５の摺動がよく、導水管１２の回動信頼性が高い。
【００１２】
豪雨が発生しない通常時は、図１及び図４（ａ）に示すようにＬ字型の導水管１２の入水口１２ｂが横を向いた状態になっている。
また、受水器１３が空の状態では、手に導入管の入水口１２ｂを持って任意の角度に回すことができ、且つその状態が維持されるように止水体１１との連結部１２ａの回動抵抗が調整されている。
これにより、水位調整ができ、稲作時の灌水管理ができる。
図４に示すように雨が降り、受水器１３に雨水が溜まると、その自重にて下降する。
すると、連結ワイヤーに繋がれた導入管１２の入水口１２ｂが直立方向に回動し、この入水口１２ｂの高さに水位がなるまで水田に雨水が貯水されるので、下流側の水害を有効に防止する。
また、この入水口１２ｂの高さ以上に水位が高くなると雨水が排水されるので、水田が雨水で溢れるトラブルも生じない。
【符号の説明】
【００１３】
１０      水害防止装置
１１      止水体
１２      導水管
１２ｂ    入水口
１２ｃ    排水口
１３      受水器
１４      ガイド部
１５      連結ワイヤー
【図１】
0003194771.tif 000003
【図２】
0003194771.tif 000004
【図３】
0003194771.tif 000005
【図４】
0003194771.tif 000006
【図５】
0003194771.tif 000007